(57)【要約】【課題】圧痕の視認性を向上させ、異方性導電フィルムを用いた接続工程における接続後の検査を迅速、的確に行う。【解決手段】透明基板上に導電性粒子が配列された異方性導電接着剤を介して電子部品が接続された接続体の接続状態を外観検査により検査する検査方法において、上記透明基板の端子に現れる上記異方性導電接着剤に含有された導電性粒子の圧痕及び圧痕の周辺部位を比較して、接続状態を検査し、上記圧痕は、上記透明基板の端子内で重複せず、個々に独立した状態で規則的に現れる。【選択図】図８
2019186577.tif 000002
【特許請求の範囲】
【請求項１】
透明基板上に導電性粒子が配列された異方性導電接着剤を介して電子部品が接続された接続体の接続状態を外観検査により検査する検査方法において、
上記透明基板の端子に現れる上記異方性導電接着剤に含有された導電性粒子の圧痕及び圧痕の周辺部位を比較して、接続状態を検査し、
上記圧痕は、上記透明基板の端子内で重複せず、個々に独立した状態で規則的に現れる検査方法。
【請求項２】
上記透明基板は、上記端子が配列する端子列を有し、
上記端子列の中央の端子内における圧痕を検査する請求項１に記載の検査方法。
【請求項３】
上記透明基板は、上記端子が配列する端子列を有し、
上記端子列の両端の端子内における圧痕を検査する請求項１又は２に記載の検査方法。
【請求項４】
上記透明基板は、上記端子が配列する端子列を有し、
上記端子列の中央の端子に隣接した端子内における圧痕を検査する請求項１〜３のいずれか１項に記載の検査方法。
【請求項５】
上記透明基板は、上記端子が配列する端子列を有し、
上記端子列の両端の端子に隣接した端子内における圧痕を検査する請求項１〜４のいずれか１項に記載の検査方法。
【請求項６】
透明基板上に、導電性粒子を含有した接着剤を介して電子部品を搭載し、
上記電子部品を上記透明基板に対して押圧するとともに、上記接着剤を硬化させることにより、上記電子部品を上記回路基板上に接続する接続体の製造方法において、
上記接着剤は、バインダー樹脂に導電性粒子が配列され、
上記透明基板の端子に現れる上記異方性導電接着剤に含有された導電性粒子の圧痕及び圧痕の周辺部位を比較して、上記電子部品と上記回路基板との接続状態を検査する工程を有し、
上記圧痕は、上記透明基板の端子内で重複せず、個々に独立した状態で規則的に現れる接続体の製造方法。
【請求項７】
透明基板と、
上記透明基板上に異方性導電接着剤を介して接続された電子部品とを備え、
上記透明基板の端子には、上記異方性導電接着剤に含有された導電性粒子による複数の圧痕が面内方向に配列され、
上記圧痕は、円形とした場合の４０％以上の曲線からなり、
上記圧痕は、上記透明基板の端子内で重複せず、個々に独立した状態で規則的に現れ、
上記透明基板は上記端子が配列する端子列を有し、上記圧痕は上記端子列内の全端子において同様の視認性を有する接続体。
【発明の詳細な説明】
【技術分野】
【０００１】
本発明は、電子部品と透明基板とが接続された接続体に関し、特に導電性粒子を含有する接着剤を介して電子部品が透明基板に接続された接続体、接続体の製造方法及び検査方法に関する。
【背景技術】
【０００２】
従来から、テレビやＰＣモニタ、携帯電話やスマートホン、携帯型ゲーム機、タブレット端末やウェアラブル端末、あるいは車載用モニタ等の各種表示手段として、液晶表示装置や有機ＥＬパネルが用いられている。近年、このような表示装置においては、ファインピッチ化、軽量薄型化等の観点から、異方性導電フィルム（ＡＣＦ：Anisotropic Conductive Film）を用いて、駆動用ＩＣを直接表示パネルのガラス基板上に実装する工法や、駆動回路等が形成されたフレキシブル基板を直接ガラス基板に実装する工法が採用されている。
【０００３】
ＩＣやフレキシブル基板が実装されるガラス基板には、ＩＴＯ（酸化インジウムスズ）等からなる透明電極が複数形成され、この透明電極上にＩＣやフレキシブル基板等の電子部品が接続される。ガラス基板に接続される電子部品は、実装面に、透明電極に対応して複数の電極端子が形成され、異方性導電フィルムを介してガラス基板上に熱圧着されることにより、電極端子と透明電極とが接続される。
【０００４】
異方性導電フィルムは、バインダー樹脂に導電性粒子を混ぜ込んでフィルム状としたもので、２つの導体間で加熱圧着されることにより導電性粒子で導体間の電気的導通がとられ、バインダー樹脂にて導体間の機械的接続が保持される。異方性導電フィルムを構成する接着剤としては、通常、信頼性の高い熱硬化性のバインダー樹脂が用いられるが、光硬化性のバインダー樹脂又は光熱併用型のバインダー樹脂であってもよい。
【０００５】
このような異方性導電フィルムを介して電子部品を透明電極へ接続する場合は、先ず、ガラス基板の透明電極上に異方性導電フィルムを図示しない仮圧着手段によって仮貼りする。続いて、異方性導電フィルムを介してガラス基板上に電子部品を搭載し仮接続体を形成した後、熱圧着ヘッド等の熱圧着手段によって電子部品を異方性導電フィルムとともに透明電極側へ加熱押圧する。この熱圧着ヘッドによる加熱によって、異方性導電フィルムは熱硬化反応を起こし、これにより電子部品が透明電極上に接着される。
【先行技術文献】
【特許文献】
【０００６】
【特許文献１】特許第４７８９７３８号公報
【特許文献２】特開２００４−２１４３７４号公報
【特許文献３】特開２００５−２０３７５８号公報
【発明の概要】
【発明が解決しようとする課題】
【０００７】
ところで、この種の異方性導電フィルムを用いた接続工程において、接続する電子部品の接続部位に対する加熱押圧工程は多数の実装品を合算して大面積で加熱押圧することなどは通常行われない。これは、電子部品の接続部位が、接続される電子部品に対して比較的小面積であること、また、接続部位に多数配列されている電極端子（バンプ）は、平行度が要求されること等による。
【０００８】
したがって、異方性導電フィルムを用いた接続工程においては、生産性を向上する観点から、接続工程自体の短時間化が求められているのに加え、短時間化に伴い接続後における検査工程の迅速化も求められている。
【０００９】
接続後の検査は、電子部品の電極端子とガラス基板の透明電極によって導電性粒子が押しつぶされることにより導通性が確保されていることを確認する工程であり、迅速化に際しては、透明電極に現れる導電性粒子の圧痕をガラス基板の裏面から観察する外観検査により行われることがある。また、接続後の検査としては、人間の目視や、撮像画像を用いることにより、圧痕の状態や、その周囲の接着剤の浮きや剥がれの状態を観察する。
【００１０】
圧痕の状態は、導電性粒子が存在しない周辺部位との比較で行い、機械的な判断基準としてはコントラストや色味の違いを観察することで判断できる。しかし、電極端子と透明電極との間で導電性粒子が重なっていたり、透明電極の面内方向に導電性粒子が連続して接触ないしは過度に近接していると、圧痕と周辺部位との識別、すなわちコントラストや色味に影響し視認性が落ちてしまい、迅速かつ的確な外観検査を行うことができない恐れがある。
【００１１】
そこで、本発明は、圧痕の視認性を向上させ、異方性導電フィルムを用いた接続工程における接続後の検査を迅速、的確に行うことができる接続体、接続体の製造方法及び検査方法を提供することを目的とする。
【課題を解決するための手段】
【００１２】
上述した課題を解決するために、本発明に係る検査方法は、透明基板上に導電性粒子が配列された異方性導電接着剤を介して電子部品が接続された接続体の接続状態を外観検査により検査する検査方法において、上記透明基板の端子に現れる上記異方性導電接着剤に含有された導電性粒子の圧痕及び圧痕の周辺部位を比較して、接続状態を検査し、上記圧痕は、上記透明基板の端子内で重複せず、個々に独立した状態で規則的に現れるものである。
【００１３】
また、本発明に係る接続体の製造方法は、透明基板上に、導電性粒子を含有した接着剤を介して電子部品を搭載し、上記電子部品を上記透明基板に対して押圧するとともに、上記接着剤を硬化させることにより、上記電子部品を上記回路基板上に接続する接続体の製造方法において、上記接着剤は、バインダー樹脂に導電性粒子が配列され、上記透明基板の端子に現れる上記異方性導電接着剤に含有された導電性粒子の圧痕及び圧痕の周辺部位を比較して、上記電子部品と上記回路基板との接続状態を検査する工程を有し、上記圧痕は、上記透明基板の端子内で重複せず、個々に独立した状態で規則的に現れるものである。
【００１４】
また、本発明に係る接続体は、透明基板と、上記透明基板上に異方性導電接着剤を介して接続された電子部品とを備え、上記透明基板の端子には、上記異方性導電接着剤に含有された導電性粒子による複数の圧痕が面内方向に配列され、上記圧痕は、円形とした場合の４０％以上の曲線からなり、上記圧痕は、上記透明基板の端子内で重複せず、個々に独立した状態で規則的に現れ、上記透明基板は上記端子が配列する端子列を有し、上記圧痕は上記端子列内の全端子において同様の視認性を有するものである。
【発明の効果】
【００１５】
本発明によれば、端子内において、導電性粒子が配列されることにより、圧痕が個々に独立した状態で現れる。したがって、端子に現れる圧痕は、コントラストが明確に現れ、個々の圧痕の視認性が大幅に向上されることで認識が容易になり、圧痕に基づく電子部品と透明基板の端子との接続性を迅速、的確に検査することができる。
【図面の簡単な説明】
【００１６】
【図１】図１は、接続体の一例として示す液晶表示パネルの断面図である。
【図２】図２は、透明基板の裏面から見た入出力端子に現れる圧痕の状態を示す底面図である。
【図３】図３は、液晶駆動用ＩＣと透明基板との接続工程を示す断面図である。
【図４】図４は、液晶駆動用ＩＣの電極端子（バンプ）及び端子間スペースを示す平面図である。
【図５】図５は、異方性導電フィルムを示す断面図である。
【図６】図６は、導電性粒子が格子状に規則配列された異方性導電フィルムを示す平面図である。
【図７】図７は、導電性粒子が六方格子状に規則配列された異方性導電フィルムを示す平面図である。
【図８】図８は、端子に現れる圧痕を示す平面図であり、（Ａ）は導電性粒子がランダムに分散された異方性導電フィルムを用いた場合、（Ｂ）は、導電性粒子が配列された異方性導電フィルムを用いた場合を示す。
【図９】図９は、入出力端子列を示す平面図である。
【図１０】図１０は、導電性粒子の粒子径の５０％以内の高低差を有する凹凸部が形成されたバンプと端子とによって導電性粒子を挟持している状態を示す断面図である。
【図１１】図１１は、導電性粒子の粒子径の５０％以内の高低差を有する凹凸部が形成されたバンプと端子とによって導電性粒子を挟持している状態を示す断面図である。
【図１２】図１２は、導電性粒子の粒子径の５０％を超える高低差を有する凹凸部が形成されたバンプと端子とによって導電性粒子を挟持している状態を示す断面図である。
【図１３】図１３は、導電性粒子の粒子径の５０％を超える高低差を有する凹凸部が形成されたバンプと端子とによって導電性粒子を挟持している状態を示す断面図である。
【発明を実施するための形態】
【００１７】
以下、本発明が適用された接続体、接続体の製造方法及び検査方法について、図面を参照しながら詳細に説明する。なお、本発明は、以下の実施形態のみに限定されるものではなく、本発明の要旨を逸脱しない範囲内において種々の変更が可能であることは勿論である。また、図面は模式的なものであり、各寸法の比率等は現実のものとは異なることがある。具体的な寸法等は以下の説明を参酌して判断すべきものである。また、図面相互間においても互いの寸法の関係や比率が異なる部分が含まれていることは勿論である。
【００１８】
［液晶表示パネル］
以下では、本発明が適用された接続体として、ガラス基板に、電子部品として液晶駆動用のＩＣチップが実装された液晶表示パネルを例に説明する。この液晶表示パネル１０は、図１に示すように、ガラス基板等からなる二枚の透明基板１１，１２が対向配置され、これら透明基板１１，１２が枠状のシール１３によって互いに貼り合わされている。そして、液晶表示パネル１０は、透明基板１１，１２によって囲繞された空間内に液晶１４が封入されることによりパネル表示部１５が形成されている。
【００１９】
透明基板１１，１２は、互いに対向する両内側表面に、ＩＴＯ（酸化インジウムスズ）等からなる縞状の一対の透明電極１６，１７が、互いに交差するように形成されている。そして、両透明電極１６，１７は、これら両透明電極１６，１７の当該交差部位によって液晶表示の最小単位としての画素が構成されるようになっている。
【００２０】
両透明基板１１，１２のうち、一方の透明基板１２は、他方の透明基板１１よりも平面寸法が大きく形成されており、この大きく形成された透明基板１２の縁部１２ａには、電子部品として液晶駆動用ＩＣ１８が実装される実装部２７が設けられている。なお、実装部２７には、図２、図３に示すように、透明電極１７の複数の入力端子１９ａが配列された入力端子列２０ａ及び複数の出力端子１９ｂが配列された出力端子列２０ｂ、液晶駆動用ＩＣ１８に設けられたＩＣ側アライメントマーク３２と重畳させる基板側アライメントマーク３１が形成されている。
【００２１】
液晶駆動用ＩＣ１８は、画素に対して液晶駆動電圧を選択的に印加することにより、液晶の配向を部分的に変化させて所定の液晶表示を行うことができるようになっている。また、図３、図４に示すように、液晶駆動用ＩＣ１８は、透明基板１２への実装面１８ａに、透明電極１７の入力端子１９ａと導通接続される複数の入力バンプ２１ａが配列された入力バンプ列２２ａと、透明電極１７の出力端子１９ｂと導通接続される複数の出力バンプ２１ｂが配列された出力バンプ列２２ｂが形成されている。入力バンプ２１ａ及び出力バンプ２１ｂは、例えば銅バンプや金バンプ、あるいは銅バンプに金メッキを施したもの等が好適に用いられる。
【００２２】
入力バンプ２１ａは、例えば、実装面１８ａの一方の側縁に沿って一列で配列され、出力バンプ２１ｂは、一方の側縁と対向する他方の側縁に沿って複数列で千鳥状に配列されている。入出力バンプ２１ａ，２１ｂと、透明基板１２の実装部２７に設けられている入出力端子１９ａ，１９ｂとは、それぞれ同数かつ同ピッチで形成され、透明基板１２と液晶駆動用ＩＣ１８とが位置合わせされて接続されることにより、接続される。
【００２３】
なお、入出力バンプ２１ａ，２１ｂの配列は、図４に示す以外にも、一方の側縁に一又は複数列で配列され、他方の側縁に一又は複数列で配列されるいずれの構成であってもよい。また、入出力バンプ２１ａ，２１ｂは、一列配列の一部が複数列となってもよく、複数列の一部が一列となってもよい。さらに、入出力バンプ２１ａ，２１ｂは、複数列の各列が平行且つ隣接する電極端子同士が並列するストレート配列で形成されてもよく、あるいは複数列の各列が平行且つ隣接する電極端子同士が均等にズレる千鳥配列で形成されてもよい。
【００２４】
また、液晶駆動用ＩＣ１８は、ＩＣ基板の長辺に沿って入出力バンプ２１ａ，２１ｂを配列させるとともに、ＩＣ基板の短辺に沿ってサイドバンプを形成してもよい。なお、入出力バンプ２１ａ，２１ｂは、同一寸法で形成してもよく、異なる寸法で形成してもよい。また、入出力バンプ列２２ａ，２２ｂは、同一寸法で形成された入出力バンプ２１ａ，２１ｂが対称又は非対称に配列されてもよく、異なる寸法で形成された入出力バンプ２１ａ，２１ｂが非対称に配列されてもよい。
【００２５】
なお、近年の液晶表示装置その他の電子機器の小型化、高機能化に伴い、液晶駆動用ＩＣ１８等の電子部品も小型化、低背化が求められ、入出力バンプ２１ａ，２１ｂもその高さが低くなっている（例えば６〜１５μｍ）。
【００２６】
また、液晶駆動用ＩＣ１８は、実装面１８ａに、基板側アライメントマーク３１と重畳させることにより、透明基板１２に対するアライメントを行うＩＣ側アライメントマーク３２が形成されている。なお、透明基板１２の透明電極１７の配線ピッチや液晶駆動用ＩＣ１８の入出力バンプ２１ａ，２１ｂのファインピッチ化が進んでいることから、液晶駆動用ＩＣ１８と透明基板１２とは、高精度のアライメント調整が求められている。
【００２７】
基板側アライメントマーク３１及びＩＣ側アライメントマーク３２は、組み合わされることにより透明基板１２と液晶駆動用ＩＣ１８とのアライメントが取れる種々のマークを用いることができる。
【００２８】
実装部２７に形成されている透明電極１７の入出力端子１９ａ，１９ｂ上には、回路接続用接着剤として異方性導電フィルム１を用いて液晶駆動用ＩＣ１８が接続される。異方性導電フィルム１は、導電性粒子４を含有しており、液晶駆動用ＩＣ１８の入出力バンプ２１ａ，２１ｂと透明基板１２の実装部２７に形成された透明電極１７の入出力端子１９ａ，１９ｂとを、導電性粒子４を介して電気的に接続させるものである。この異方性導電フィルム１は、熱圧着ヘッド３３により熱圧着されることによりバインダー樹脂が流動化して導電性粒子４が入出力端子１９ａ，１９ｂと液晶駆動用ＩＣ１８の入出力バンプ２１ａ，２１ｂとの間で押し潰され、この状態でバインダー樹脂が硬化する。これにより、異方性導電フィルム１は、透明基板１２と液晶駆動用ＩＣ１８とを電気的、機械的に接続する。
【００２９】
また、両透明電極１６，１７上には、所定のラビング処理が施された配向膜２４が形成されており、この配向膜２４によって液晶分子の初期配向が規制されるようになっている。さらに、両透明基板１１，１２の外側には、一対の偏光板２５，２６が配設されており、これら両偏光板２５，２６によってバックライト等の光源（図示せず）からの透過光の振動方向が規制されるようになっている。
【００３０】
［異方性導電フィルム］
次いで、異方性導電フィルム１について説明する。異方性導電フィルム（ＡＣＦ：Anisotropic Conductive Film）１は、図５に示すように、通常、基材となる剥離フィルム２上に導電性粒子４を含有するバインダー樹脂層（接着剤層）３が形成されたものである。異方性導電フィルム１は、熱硬化型あるいは紫外線等の光硬化型の接着剤であり、液晶表示パネル１０の透明基板１２に形成された入出力端子１９ａ，１９ｂ上に貼着されるとともに液晶駆動用ＩＣ１８が搭載され、熱圧着ヘッド３３により熱加圧されることにより流動化して導電性粒子４が相対向する透明電極１７の入出力端子１９ａ，１９ｂと液晶駆動用ＩＣ１８の入出力バンプ２１ａ，２１ｂとの間で押し潰され、加熱あるいは紫外線照射により、導電性粒子が押し潰された状態で硬化する。これにより、異方性導電フィルム１は、透明基板１２と液晶駆動用ＩＣ１８とを接続し、導通させることができる。
【００３１】
また、異方性導電フィルム１は、膜形成樹脂、熱硬化性樹脂、潜在性硬化剤、シランカップリング剤等を含有する通常のバインダー樹脂層３に導電性粒子４が所定のパターンで規則的に配列されている。
【００３２】
バインダー樹脂層３を支持する剥離フィルム２は、例えば、ＰＥＴ（Poly Ethylene Terephthalate）、ＯＰＰ（Oriented Polypropylene）、ＰＭＰ（Poly-4-methylpentene-1）、ＰＴＦＥ（Polytetrafluoroethylene）等にシリコーン等の剥離剤を塗布してなり、異方性導電フィルム１の乾燥を防ぐとともに、異方性導電フィルム１の形状を維持する。
【００３３】
バインダー樹脂層３に含有される膜形成樹脂としては、平均分子量が１００００〜８００００程度の樹脂が好ましい。膜形成樹脂としては、エポキシ樹脂、変形エポキシ樹脂、ウレタン樹脂、フェノキシ樹脂等の各種の樹脂が挙げられる。中でも、膜形成状態、接続信頼性等の観点からフェノキシ樹脂が特に好ましい。
【００３４】
熱硬化性樹脂としては、特に限定されず、例えば、市販のエポキシ樹脂、アクリル樹脂等が挙げられる。
【００３５】
エポキシ樹脂としては、特に限定されないが、例えば、ナフタレン型エポキシ樹脂、ビフェニル型エポキシ樹脂、フェノールノボラック型エポキシ樹脂、ビスフェノール型エポキシ樹脂、スチルベン型エポキシ樹脂、トリフェノールメタン型エポキシ樹脂、フェノールアラルキル型エポキシ樹脂、ナフトール型エポキシ樹脂、ジシクロペンタジエン型エポキシ樹脂、トリフェニルメタン型エポキシ樹脂等が挙げられる。これらは単独でも、２種以上の組み合わせであってもよい。
【００３６】
アクリル樹脂としては、特に制限はなく、目的に応じてアクリル化合物、液状アクリレート等を適宜選択することができる。例えば、メチルアクリレート、エチルアクリレート、イソプロピルアクリレート、イソブチルアクリレート、エポキシアクリレート、エチレングリコールジアクリレート、ジエチレングリコールジアクリレート、トリメチロールプロパントリアクリレート、ジメチロールトリシクロデカンジアクリレート、テトラメチレングリコールテトラアクリレート、２−ヒドロキシ−１，３−ジアクリロキシプロパン、２，２−ビス[４−（アクリロキシメトキシ）フェニル]プロパン、２，２−ビス[４−（アクリロキシエトキシ）フェニル]プロパン、ジシクロペンテニルアクリレート、トリシクロデカニルアクリレート、トリス（アクリロキシエチル）イソシアヌレート、ウレタンアクリレート、エポキシアクリレート等を挙げることができる。なお、アクリレートをメタクリレートにしたものを用いることもできる。これらは、１種単独で使用してもよいし、２種以上を併用してもよい。
【００３７】
潜在性硬化剤としては、特に限定されないが、例えば、加熱硬化型、ＵＶ硬化型等の各種硬化剤が挙げられる。潜在性硬化剤は、通常では反応せず、熱、光、加圧等の用途に応じて選択される各種のトリガにより活性化し、反応を開始する。熱活性型潜在性硬化剤の活性化方法には、加熱による解離反応などで活性種（カチオンやアニオン、ラジカル）を生成する方法、室温付近ではエポキシ樹脂中に安定に分散しており高温でエポキシ樹脂と相溶・溶解し、硬化反応を開始する方法、モレキュラーシーブ封入タイプの硬化剤を高温で溶出して硬化反応を開始する方法、マイクロカプセルによる溶出・硬化方法等が存在する。熱活性型潜在性硬化剤としては、イミダゾール系、ヒドラジド系、三フッ化ホウ素−アミン錯体、スルホニウム塩、アミンイミド、ポリアミン塩、ジシアンジアミド等や、これらの変性物があり、これらは単独でも、２種以上の混合体であってもよい。中でも、マイクロカプセル型イミダゾール系潜在性硬化剤が好適である。
【００３８】
シランカップリング剤としては、特に限定されないが、例えば、エポキシ系、アミノ系、メルカプト・スルフィド系、ウレイド系等を挙げることができる。シランカップリング剤を添加することにより、有機材料と無機材料との界面における接着性が向上される。
【００３９】
［導電性粒子］
導電性粒子４としては、異方性導電フィルム１において使用されている公知の何れの導電性粒子を挙げることができる。導電性粒子４としては、例えば、ニッケル、鉄、銅、アルミニウム、錫、鉛、クロム、コバルト、銀、金等の各種金属や金属合金の粒子、金属酸化物、カーボン、グラファイト、ガラス、セラミック、プラスチック等の粒子の表面に金属をコートしたもの、或いは、これらの粒子の表面に更に絶縁薄膜をコートしたもの等が挙げられる。樹脂粒子の表面に金属をコートしたものである場合、樹脂粒子としては、例えば、エポキシ樹脂、フェノール樹脂、アクリル樹脂、アクリロニトリル・スチレン（ＡＳ）樹脂、ベンゾグアナミン樹脂、ジビニルベンゼン系樹脂、スチレン系樹脂等の粒子を挙げることができる。導電性粒子４の大きさは１〜１０μｍが好ましいが、本発明はこれに限定されるものではない。
【００４０】
［導電性粒子の規則配列］
異方性導電フィルム１は、導電性粒子４が平面視において所定の配列パターンで規則的に配列され、例えば図６や図７に示すように、格子状かつ均等に配列され、あるいは六方格子状に配列される。このような導電性粒子４の配列距離は適宜調整することができる。即ち、配列の方向によって異なる配列距離であってもよい。後述するように、平面視において規則的に配列されることにより、異方性導電フィルム１は、導電性粒子４がランダムに分散されている場合に比して、液晶駆動用ＩＣ１８の接続後における検査において、入出力端子１９ａ，１９ｂに現れる圧痕３０の視認性を向上させることができる。
【００４１】
一方、導電粒子がランダムに分散されている場合は、導電粒子同士が接続時に隣接もしくは重複したような状態になり、押圧後に個々の導電粒子を識別することが困難になる。
【００４２】
また、異方性導電フィルム１は、平面視において規則的に配列されることにより、導電性粒子４がランダムに分散されている場合に比して、液晶駆動用ＩＣ１８の隣接する入出力バンプ２１ａ，２１ｂ間のスペース２３がファインピッチ化し端子間面積が狭小化するとともに、導電性粒子４が高密度に充填されていても、液晶駆動用ＩＣ１８の接続工程において、導電性粒子４の凝集体による入出力バンプ２１ａ，２１ｂ間のスペース２３におけるバンプ間ショートを防止することができる。
【００４３】
また、異方性導電フィルム１は、導電性粒子４が規則的に配列されることにより、バインダー樹脂層３に高密度に充填した場合にも、導電性粒子４の凝集による疎密の発生が防止されている。したがって、異方性導電フィルム１によれば、ファインピッチ化された入出力端子１９ａ，１９ｂや入出力バンプ２１ａ，２１ｂにおいても導電性粒子４を捕捉することができる。導電性粒子４の均等配列パターンは、任意に設定することができる。
【００４４】
このような異方性導電フィルム１は、例えば、延伸可能なシート上に粘着剤を塗布し、その上に導電性粒子４を単層配列した後、当該シートを、所望の延伸倍率で延伸させる方法、導電性粒子４を基板上に所定の配列パターンに整列させた後、剥離フィルム２に支持されたバインダー樹脂層３に導電性粒子４を転写する方法、あるいは剥離フィルム２に支持されたバインダー樹脂層３上に、配列パターンに応じた開口部が設けられた配列板を介して導電性粒子４を供給する方法等により製造することができる。
【００４５】
なお、異方性導電フィルム１の形状は、特に限定されないが、例えば、図５に示すように、巻取リール６に巻回可能な長尺テープ形状とし、所定の長さだけカットして使用することができる。
【００４６】
また、上述の実施の形態では、異方性導電フィルム１として、バインダー樹脂層３に導電性粒子４を規則配列した熱硬化性樹脂組成物をフィルム状に成形した接着フィルムを例に説明したが、本発明に係る接着剤は、これに限定されず、例えばバインダー樹脂３のみからなる絶縁性接着剤層と導電性粒子４を規則配列したバインダー樹脂３からなる導電性粒子含有層とを積層した構成とすることができる。また、異方性導電フィルム１は、導電性粒子４が平面視で規則配列されていれば、図５に示すように単層配列されている他、複数のバインダー樹脂層３にわたって導電性粒子４が配列されるとともに平面視において規則配列されるものでもよい。また、異方性導電フィルム１は、多層構成の少なくとも一つの層内で、所定距離で単一に分散されたものでもよい。
【００４７】
［接続工程］
次いで、透明基板１２に液晶駆動用ＩＣ１８を接続する接続工程について説明する。先ず、透明基板１２の入出力端子１９ａ，１９ｂが形成された実装部２７上に異方性導電フィルム１を仮貼りする。次いで、この透明基板１２を接続装置のステージ上に載置し、透明基板１２の実装部２７上に異方性導電フィルム１を介して液晶駆動用ＩＣ１８を配置する。
【００４８】
次いで、バインダー樹脂層３を硬化させる所定の温度に加熱された熱圧着ヘッド３３によって、所定の圧力、時間で液晶駆動用ＩＣ１８上から熱加圧する。これにより、異方性導電フィルム１のバインダー樹脂層３は流動性を示し、液晶駆動用ＩＣ１８の実装面１８ａと透明基板１２の実装部２７の間から流出するとともに、バインダー樹脂層３中の導電性粒子４は、液晶駆動用ＩＣ１８の入出力バンプ２１ａ，２１ｂと透明基板１２の入出力端子１９ａ，１９ｂとの間に挟持されて押し潰される。
【００４９】
その結果、入出力バンプ２１ａ，２１ｂと入出力端子１９ａ，１９ｂとの間で導電性粒子４を挟持することにより電気的に接続され、この状態で熱圧着ヘッド３３によって加熱されたバインダー樹脂が硬化する。これにより、液晶駆動用ＩＣ１８の入出力バンプ２１ａ，２１ｂと透明基板１２に形成された入出力端子１９ａ，１９ｂとの間で導通性を確保された液晶表示パネル１０を製造することができる。また、上記の挟持された導電性粒子４を押圧されたもの（歪み）が、入出力端子１９ａ，１９ｂ内において圧痕になる。
【００５０】
入出力バンプ２１ａ，２１ｂと入出力端子１９ａ，１９ｂとの間にない導電性粒子４は、隣接する入出力バンプ２１ａ，２１ｂ間のスペース２３においてバインダー樹脂に分散されており、電気的に絶縁した状態を維持している。したがって、液晶表示パネル１０は、液晶駆動用ＩＣ１８の入出力バンプ２１ａ，２１ｂと透明基板１２の入出力端子１９ａ，１９ｂとの間のみで電気的導通が図られる。なお、バインダー樹脂として、ラジカル重合反応系の速硬化タイプのものを用いることで、短い加熱時間によってもバインダー樹脂を速硬化させることができる。また、異方性導電フィルム１としては、熱硬化型に限らず、加圧接続を行うものであれば、光硬化型もしくは光熱併用型の接着剤を用いてもよい。
【００５１】
［圧痕視認性］
入出力バンプ２１ａ，２１ｂとの間で導電性粒子４が押圧されることにより、透明基板１２側から入出力端子１９ａ，１９ｂの箇所に、圧痕３０を観察できる。液晶駆動用ＩＣ１８の接続後、透明基板１２の裏面（入出力端子１９ａ，１９ｂの反対側）より目視（顕微鏡など）あるいは撮像画像によって観察することで接続性の検査を行うことができる。
【００５２】
圧痕３０は、入出力バンプ２１ａ，２１ｂと入出力端子１９ａ，１９ｂとの間に硬度の高い導電性粒子４を捕捉した状態で熱圧着ヘッド３３によって押圧されることにより、透明電極１７の入出力端子１９ａ，１９ｂに現れる導電性粒子４の押圧痕であり、透明基板１２の裏面側から観察することにより視認可能となっている。圧痕３０の形状は、一般に導電性粒子４の粒径以上の径を有し、図８（ａ）に示すように、略円形状となる。また、圧痕３０の形状は、図８（ｂ）に示すように、片側がぼやけているものの大部分が曲線によって構成されるのが一般的である。この場合の曲線は、円形とした場合の４０％以上、好ましくは５０％以上、更により好ましくは６０％以上の、即ち略円形であると認識できる曲線であればよい。なお、金属粒子の場合などには、直線的な状態が含まれる場合がある。
【００５３】
圧痕３０は、粒子の押し込みの強さに起因してコントラストや外径が異なる。そのため、圧痕は、熱圧着ヘッド３３による押圧が各入出力端子１９ａ，１９ｂ間及び個々の入出力端子１９ａ，１９ｂ内で均一に押圧されているか否かの判定指標となる。
【００５４】
ここで、導電性粒子４がバインダー樹脂層３にランダムに分散されている異方性導電フィルムを用いて接続された接続体においては、図８（ｃ）に示すように、入出力端子上に圧痕３０が不規則に現れるとともに、近接、重複しているため、圧痕３０の視認性が悪く、状態の把握に手間がかかるため検査に時間がかかり、また圧痕３０の判定精度が落ちてしまう。即ち、圧痕３０を形成する曲線の識別しにくい状態になっている。また、機械的な画像処理による検査の場合は、このような視認性の悪さから判定の基準を設けることが困難になってしまう。そのため、判定の精度そのものが悪化することになる。この場合、解像度によっては直線による組み合わせのように見えることがあるためである。
【００５５】
一方、本発明に係る液晶表示パネル１０では、導電性粒子４が配列されている異方性導電フィルム１を用いて形成されているため、入出力端子１９ａ，１９ｂ内においても、導電性粒子４が配列された状態で挟持され、図８（ａ）に示すように、圧痕３０が個々に独立した状態で規則的に現れる。したがって、入出力端子１９ａ，１９ｂに現れる圧痕３０は、コントラストないしはそれを形成する曲線が明確に現れ、個々の圧痕３０の視認性が大幅に向上されている。これにより、液晶表示パネル１０は、圧痕３０に基づく入出力バンプ２１ａ，２１ｂと入出力端子１９ａ，１９ｂとの接続性を迅速、的確に検査することができる。
【００５６】
入出力端子１９ａ，１９ｂに現れる個々の圧痕３０は、規則的に現れていれば、導電性粒子４が存在していない平滑面とのコントラストにより視認性を確保することができるため、互いに隣接していてもよいが、所定の距離、例えば外径の０．２倍以上を隔てて現れることが好ましく、０．４倍以上離れて現れることがより好ましい。なお、上記の平滑面とのコントラストは、曲線により現れる場合も含む。
【００５７】
このような圧痕３０は一つの入出力端子１９ａ，１９ｂ内で５５％以上が独立して存在していることが好ましく、より好ましくは６５％以上であり、更により好ましくは７５％以上である。圧痕３０が独立して存在する、とは導電性粒子４が１個で存在しているものを指し、独立していないものは、隣接や重複しているものを指す。但し、導電性粒子４を意図的に多数個連結して配列させている場合は、そのユニットで独立しているものと見なす。
【００５８】
また、圧痕３０は、図９に示す複数の入出力端子１９ａ，１９ｂが配列する入出力端子列２０ａ，２０ｂの中央の入出力端子１９ａＭ，１９ｂＭ内において５５％以上が独立して存在していることが好ましく、より好ましくは６５％以上であり、更により好ましくは７５％以上である。なお、入出力端子列２０ａ，２０ｂに奇数個の入出力端子１９ａ、９ｂが配列されている場合は、中央の入出力端子１９ａＭ，１９ｂＭは、当該端子列の真ん中の端子をいい、入出力端子列２０ａ，２０ｂに偶数個の入出力端子１９ａ、９ｂが配列されている場合は、中央の入出力端子１９ａＭ，１９ｂＭは、当該端子列の真ん中２つの端子をいう。
【００５９】
同様に、圧痕３０は、図９に示す複数の入出力端子１９ａ，１９ｂが配列する入出力端子列２０ａ，２０ｂの両端の入出力端子１９ａＬ，１９ａＲ，１９ｂＬ，１９ｂＲの各端子においても５５％以上が独立して存在していることが好ましく、より好ましくは６５％以上であり、更により好ましくは７５％以上である。両端の入出力端子１９ａＬ，１９ａＲ，１９ｂＬ，１９ｂＲにおいて５５％以上の圧痕３０が独立して存在していることで、当該入出力端子列２０ａ，２０ｂの全入出力端子１９ａ，１９ｂが同様の視認性を備えていることが推認される。
【００６０】
また、圧痕３０は、図９に示す複数の入出力端子１９ａ，１９ｂが配列する入出力端子列２０ａ，２０ｂの中央の入出力端子１９ａＭ，１９ｂＭに隣接した入出力端子１９ａＭｓ，１９ｂＭｓの各端子においても５５％以上が独立して存在していることが好ましく、より好ましくは６５％以上であり、更により好ましくは７５％以上である。中央の入出力端子１９ａＭ，１９ｂＭに隣接した入出力端子１９ａＭｓ，１９ｂＭｓの各端子において５５％以上の圧痕３０が独立して存在していることで、当該端子列の中央のみならず、列全体における入出力端子１９ａ，１９ｂにおいて、同様の視認性を備えていることが推認される。
【００６１】
さらに、圧痕３０は、図９に示す複数の入出力端子１９ａ，１９ｂが配列する入出力端子列２０ａ，２０ｂの両端の入出力端子１９ａＬ，１９ａＲ，１９ｂＬ，１９ｂＲに隣接した入出力端子１９ａＬｓ，１９ａＲｓ，１９ｂＬｓ，１９ｂＲｓの各端子においても５５％以上が独立して存在していることが好ましく、より好ましくは６５％以上であり、更により好ましくは７５％以上である。両端の入出力端子１９ａＬ，１９ａＲ，１９ｂＬ，１９ｂＲに隣接した入出力端子１９ａＬｓ，１９ａＲｓ，１９ｂＬｓ，１９ｂＲｓの各端子において５５％以上の圧痕３０が独立して存在していることで、当該端子列の両端のみならず、列全体における入出力端子１９ａ，１９ｂにおいて、同様の視認性を備えていることが推認される。
【００６２】
また、透明基板に平行に存在する入出力端子列２０ａ，２０ｂの全ての入出力端子１９ａ，１９ｂにおいても、同様に、圧痕３０は、５５％以上が独立して存在していることが好ましく、より好ましくは６５％以上であり、更により好ましくは７５％以上である。平行に存在する端子列同士の圧痕を比較することで、熱圧着ヘッド３３の押圧面全域における均一性も検査することができる。
【００６３】
また、入出力端子１９ａ，１９ｂにおいて、入出力バンプ２１ａ，２１ｂとの電気的な接続が行われていることを確認するために、圧痕３０は、入出力端子１９ａ，１９ｂ毎に２個以上現れることが好ましく、より好ましくは３個以上、さらに好ましくは４個以上である。
【００６４】
圧痕３０の少なくとも一部が規則的に現れることにより、これが指標になることで、液晶駆動用ＩＣ１８の接続時におけるバインダー樹脂の、入出力端子１９ａ，１９ｂ及び入出力バンプ２１ａ，２１ｂに挟まれた領域における接続状態と、隣接する入出力バンプ２１ａ，２１ｂの端子間スペース２３における接続状態とを同時に把握することができる。これは、圧痕３０が視認性の良い状態であるため、入出力端子１９ａ，１９ｂやその周辺部位でのバインダー樹脂の状態に浮き等が発生すると、当該浮き等は透過性が異なるために、指標となる圧痕３０との比較が容易になるためである。また、異物が接続体内に混入した場合にも、規則配列が指標になることで、不良になる異物の発見と場所の特定、影響の度合いの把握が容易になる。
【００６５】
［近接端子同士における圧痕の配列の同一性又は相似性］
また、液晶表示パネル１０は、近接する入出力端子１９ａ，１９ｂ同士で、圧痕３０の配列の一部が同一又は相似性を持つことが好ましい。これにより、液晶表示パネル１０は、圧痕３０の相対比較を容易に行うことができ、検査の判定基準の設定や、判定評価も迅速、的確に行うことができる。特に、目視にて検査を行う場合には、例えば隣り合う入出力端子１９ａ，１９ｂ同士で圧痕３０の配列が同一又は相似性をもって現れれば、相互の圧痕の評価を容易かつ迅速に行うことができる。これを繰り返すことで、押圧面全域の把握が高精度で且つ容易に行えることになる。
【００６６】
なお、配列は、圧痕３０が直線状に並ぶものであってもよく、同一性とは直線状に配列された圧痕の配列ピッチや長さが同じに現れることをいい、相似性とはこの直線状に配列された圧痕の配列ピッチや長さが変化しているものを含む。この場合の直線とはファインピッチの入出力端子１９ａ，１９ｂにおいて、圧痕が２個などの最小数で形成されるものも配列と見なしている。相似性とは、これの距離ないしは間隔が変化したものを指す。ファインピッチになると、挟持される導電性粒子の配列が直線、もしくはそれに近い状態としか見なされなくなるためである。
【００６７】
液晶表示パネル１０は、導電性粒子４が規則配列された異方性導電フィルム１を用いることにより、近接する入出力端子１９ａ，１９ｂにわたって導電性粒子４が規則的に配置される。この状態で熱圧着ヘッド３３によって加熱押圧されると、バインダー樹脂の流動性も近接する入出力端子１９ａ，１９ｂの間でほぼ同一となるため、圧痕３０の配列が同一又は相似性を持つことができる。
【００６８】
［一端子内における圧痕間距離］
また、圧痕３０は、一つの入出力端子１９ａ，１９ｂ内における全圧痕３０の圧痕間距離が平均圧痕間距離±３０％以内であることが好ましく、より好ましくは１５％以内、更により好ましくは７％以内である。圧痕間距離とは、ある圧痕３０と近接する圧痕３０のうち外縁間の最短距離が最も短い圧痕３０との当該外縁間の最短距離をいい、平均圧痕間距離とは、一つの入出力端子１９ａ，１９ｂ内における全圧痕３０の圧痕間距離の平均値をいう。これにより、本発明では、圧痕３０の検査工程において、一つの入出力端子１９ａ，１９ｂ内における押圧の均一性も検査することができる。
【００６９】
すなわち、一つの入出力端子１９ａ，１９ｂ内において、全圧痕３０の圧痕間距離が平均圧痕間距離±３０％以内であれば、導電性粒子４に掛かる押圧力もほぼ均一となり、入出力バンプ２１ａ，２１ｂと入出力端子１９ａ，１９ｂとが平行に押圧され、各入出力端子１９ａ，１９ｂの導通抵抗のばらつきも少ないと考えられる。一方、一つの入出力端子１９ａ，１９ｂ内において、全圧痕３０の圧痕間距離が平均圧痕間距離±３０％を超えていると入出力バンプ２１ａ，２１ｂと入出力端子１９ａ，１９ｂとが平行に押圧されていないと考えられ、各入出力端子１９ａ，１９ｂ間における導通抵抗のばらつきが大きいと考えられる。
【００７０】
［一端子列内における押圧の均一性］
また、圧痕３０は、一つの入出力端子１９ａ，１９ｂ内における平均圧痕間距離と、当該入出力端子１９ａ，１９ｂが配列されている端子列の中央の入出力端子１９ａＭ，１９ｂＭにおける平均圧痕間距離との差が±３０％以内であることが好ましく、より好ましくは１５％以内、更により好ましくは７％以内である。これにより、本発明では、圧痕３０の検査工程において、一つの入出力端子列２０ａ，２０ｂ内における押圧の均一性も検査することができる。なお、入出力端子列２０ａ，２０ｂに奇数個の入出力端子１９ａ、９ｂが配列されている場合は、中央の入出力端子１９ａＭ，１９ｂＭは、当該端子列の真ん中の端子をいい、入出力端子列２０ａ，２０ｂに偶数個の入出力端子１９ａ、９ｂが配列されている場合は、中央の入出力端子１９ａＭ，１９ｂＭは、当該端子列の真ん中２つの端子をいう。
【００７１】
すなわち、入出力端子列２０ａ，２０ｂは、液晶駆動用ＩＣ１８や透明基板１２が平行に押圧された場合はもちろん、反りが発生した場合においても、中央の入出力端子１９ａＭ，１９ｂＭが最もよく押圧されるため、圧痕の視認性も最もよく現れることから、当該端子列の押圧の均一性を測る基準となる。
【００７２】
そして、一つの入出力端子１９ａ，１９ｂの平均圧痕間距離と、入出力端子列２０ａ，２０ｂの中央の入出力端子１９ａＭ，１９ｂＭにおける平均圧痕間距離との差が±３０％以内であれば、当該入出力端子１９ａ，１９ｂにおいて、導電性粒子４に掛かる押圧力も端子列中央の入出力端子１９ａＭ，１９ｂＭとほぼ同一となり、入出力バンプ２１ａ，２１ｂが平行に押圧され、他の入出力端子１９ａ，１９ｂとの導通抵抗のばらつきも少ないと考えられる。一方、一つの入出力端子１９ａ，１９ｂの平均圧痕間距離と、入出力端子列２０ａ，２０ｂの中央の入出力端子１９ａＭ，１９ｂＭにおける平均圧痕間距離との差が±３０％を超えていると、当該端子列において入出力バンプ２１ａ，２１ｂと当該入出力端子１９ａ，１９ｂとが平行に押圧されていないと考えられ、各入出力端子１９ａ，１９ｂ間における導通抵抗のばらつきが大きいと考えられる。この場合の導通抵抗のばらつきは、信頼性試験などの経年劣化する際の影響も含めたものである。
【００７３】
さらに、透明基板１２に平行に存在する入出力端子列２０ａ，２０ｂの各入出力端子１９ａ，１９ｂにおいても、同様に、圧痕３０は、一つの入出力端子１９ａ，１９ｂ内における全圧痕３０の圧痕間距離が平均圧痕間距離±３０％以内であることが好ましく、より好ましくは１５％以内、更により好ましくは７％以内である。また、透明基板１２に平行に存在する入出力端子列２０ａ，２０ｂにおいても、一つの入出力端子１９ａ，１９ｂ内における平均圧痕間距離と、当該入出力端子１９ａ，１９ｂが配列されている入出力端子列２０ａ，２０ｂの中央の入出力端子１９ａＭ，１９ｂＭにおける平均圧痕間距離との差が±３０％以内であることが好ましく、より好ましくは１５％以内、更により好ましくは７％以内である。このように、平行に存在する端子列同士の圧痕を比較することで、押圧面全域の均一性も検査することができる。
【００７４】
［凹凸部］
ここで、液晶駆動用ＩＣ１８の入出力バンプ２１ａ，２１ｂは、導電性粒子４を捕捉する表面に、導電性粒子４の粒子径の５０％以内の高低差を有する凹凸部２８が設けられたものでもよい。凹凸部２８は、例えば図１０、図１１に示すように、導電性粒子４を捕捉する表面の両側縁、あるいは中央部が突出することにより形成される。また、凹凸部２８の高低差とは、入出力バンプ２１ａ，２１ｂの表面において最も高い凸部２８ａと最も低い凹部２８ｂとの差をいうものとする。
【００７５】
そして、凹凸部２８は、高低差が押圧前における導電性粒子４の粒子径の５０％以内とされる。高低差を導電性粒子４の粒子径の５０％以内とすることによって、導電性粒子４を凹部２８ｂで捕捉した場合にも、当該凹部２８ｂにおいて導電性粒子４を十分に押し込むとともに、凸部２８ａが入出力端子１９ａ，１９ｂに直接当接することもない。したがって、入出力バンプ２１ａ，２１ｂと入出力端子１９ａ，１９ｂとが、導電性粒子４を挟持することにより導通接続され、接続後における環境変化によっても良好な導通信頼性を確保することができる。なお、入出力バンプ２１ａ，２１ｂの表面に、導電性粒子４の粒子径の５０％以内の高低差を有する凹凸部２８を設けることによっても、入出力端子１９ａ，１９ｂにおいて圧痕の視認性には特段の影響はなく、良好な視認性を確保することができる。
【００７６】
一方、凹凸部２８の高低差が押圧前における導電性粒子４の粒子径の５０％を超えると、図１２、図１３に示すように、導電性粒子４を凹部２８ｂで捕捉した場合に、導電性粒子４の押し込みが不足し導通抵抗の上昇を招くとともに、凸部２８ａが入出力端子１９ａ，１９ｂに直接当接することにより、接続後における入出力バンプ２１ａ，２１ｂと入出力端子１９ａ，１９ｂとの距離の変化に対する追従性が低く、導通信頼性を損なうおそれがある。なお、図１２における導電性粒子４は、入出力バンプ２１ａ，２１ｂの凹部２８ｂで補足した場合の一例として、凹部２８ｂ側に食い込んだ状態も説明している。入出力バンプ２１ａ，２１ｂの材質ばらつきによって硬さがばらつき、圧着工程において導電性粒子４が入出力バンプ２１ａ，２１ｂに食い込むことがある。この場合にも、接続後における入出力バンプ２１ａ，２１ｂと入出力端子１９ａ，１９ｂとの距離の変化に対する追従性が低くなり、導通信頼性を損なうおそれがあると言える。
【実施例】
【００７７】
［第１の実施例］
次いで、本発明の第１の実施例について説明する。第１の実施例では、導電性粒子が規則配列された異方性導電フィルムと、導電性粒子がランダムに分散された異方性導電フィルムを用いて、評価用ガラス基板に評価用ＩＣを接続した接続体サンプルを作成し、それぞれ評価用ガラス基板の端子に現れる圧痕の個数及び独立性を評価するとともに、初期導通抵抗、隣接するＩＣバンプ間のショート発生率を測定した。
【００７８】
［異方性導電フィルム］
評価用ＩＣの接続に用いる異方性導電フィルムのバインダー樹脂層は、フェノキシ樹脂（商品名：ＹＰ５０、新日鐵化学社製）６０質量部、エポキシ樹脂（商品名：ｊＥＲ８２８、三菱化学社製）４０質量部、カチオン系硬化剤（商品名：ＳＩ‐６０Ｌ、三新化学工業社製）２質量部を溶剤に加えたバインダー樹脂組成物を調整し、このバインダー樹脂組成物を剥離フィルム上に塗布、焼成することにより形成した。
【００７９】
［導通抵抗測定用の評価用ＩＣ］
導通抵抗測定用の評価素子として、外形；０．７ｍｍ×２０ｍｍ、厚み０．２ｍｍ、バンプ（Ａｕ‐ｐｌａｔｅｄ）；幅１５μ×長さ１００μｍ、高さ１２μｍの評価用ＩＣを用いた。
【００８０】
［ＩＣバンプ間ショート測定用の評価用ＩＣ］
ＩＣバンプ間ショート測定用の評価素子として、外形；０．７ｍｍ×２０ｍｍ、厚み０．２ｍｍ、バンプ（Ａｕ‐ｐｌａｔｅｄ）；幅１５μ×長さ１００μｍ、高さ１２μｍ、バンプ間スペース幅；７．５μｍの評価用ＩＣを用いた。
【００８１】
［評価用ガラス基板］
導通抵抗測定用の評価用ＩＣ及びＩＣバンプ間ショート測定用の評価用ＩＣが接続される評価用ガラス基板として、外形；３０ｍｍ×５０ｍｍ、厚み０．５ｍｍ、導通抵抗測定用の評価用ＩＣのバンプと同サイズ同ピッチの端子が複数配列された端子列が形成されたＩＴＯパターングラスを用いた。
【００８２】
この評価用ガラス基板に異方性導電フィルムを仮貼りした後、ＩＣバンプと基板電極とのアライメントを取りながら評価用ＩＣを搭載し、熱圧着ヘッドにより１８０℃、８０ＭＰａ、５ｓｅｃの条件で熱圧着することにより接続体サンプルを作成した。各接続体サンプルについて、評価用ガラス基板の端子に現れる圧痕の個数及び独立性、初期導通抵抗、隣接するＩＣバンプ間のショート発生率を測定した。
【００８３】
評価用ガラス基板の端子に現れる圧痕の独立性は、導通抵抗測定用の評価用ＩＣを接続した各接続体サンプルについて、圧痕が複数現れる端子を評価用ガラス基板の裏面から観察し、圧痕を１０００個カウントしたときの独立していない圧痕の数を計測した。
【００８４】
また、評価用ガラス基板の１つの端子内に現れる圧痕の個数を目視、及び撮影画像を画像処理機（ＷｉｎＲｏｏｆ：三谷商事社製）で処理することによりカウントし、それぞれ基板電極５０個の平均を求めた。
【００８５】
また、評価用ＩＣが均一に押圧されているかを確認するため、図９に示すように、２つの出力端子列２０ｂのうち、外側の出力端子列２０ｂの中央の出力端子１９ｂＭ、中央の出力端子１９ｂＭに隣接する出力端子１９ｂＭｓ、両端の出力端子１９ｂＬ，１９ｂＲ、両端の出力端子１９ｂＬ，１９ｂＲに隣接する出力端子１９ｂＬｓ，１９ｂＲｓについて、各端子内に現れる圧痕の７５％以上が独立性を有するか否かを評価した。列の中央の端子１９ｂＭと列の両端の端子１９ｂＬ，１９ｂＲが同一に押圧されていれば、同列における他の端子もほぼ同一に押圧されているとみなすことができる。また、列の中央の端子１９ｂＭに隣接する端子１９ｂＭｓと端子列の両端の端子に隣接する端子１９ｂＬｓ，１９ｂＲｓが同一に押圧されていれば、均一性がより高いと評価できる。これは簡易な検査方法の一例である。
【００８６】
なお、外側の出力端子列２０ｂの出力端子数は偶数であり、中央の端子は真ん中の２個の出力端子で測定しており、電極列の両端の端子、両端の端子に隣接する端子、及び中央の端子に隣接する端子の各部の観測面積は同一となる。
【００８７】
また、導通抵抗は、接続初期及び信頼性試験後において測定し、初期導通抵抗が１．０Ω以下、信頼性試験後の導通抵抗が６Ω以下を良好と評価した。信頼性試験の条件は、８５℃、８５％ＲＨ、５００ｈｒである。また、ＩＣバンプ間のショート発生率は、５０ｐｐｍ以下を良好と評価した。
【００８８】
［実施例１］
実施例１では、導電性粒子がバインダー樹脂層に規則配列された異方性導電フィルムを用いた。実施例１で用いた異方性導電フィルムは、延伸可能なシート上に粘着剤を塗布し、その上に導電性粒子を格子状かつ均等に単層配列した後、当該シートを所望の延伸倍率で延伸させた状態で、バインダー樹脂層をラミネートすることにより製造した。使用した導電性粒子（商品名：ＡＵＬ７０４、積水化学工業社製）は粒子径４μｍで、接続前における粒子間距離は０．５μｍ、粒子個数密度は２８０００個／ｍｍ2である。
【００８９】
［実施例２］
実施例２では、接続前における粒子間距離が１μｍ、粒子個数密度が１６０００個／ｍｍ2の異方性導電フィルムを用いた他は、実施例１と同じ条件とした。
【００９０】
［実施例３］
実施例３では、接続前における粒子間距離が１．５μｍ、粒子個数密度が１０５００個／ｍｍ2の異方性導電フィルムを用いた他は、実施例１と同じ条件とした。
【００９１】
［実施例４］
実施例４では、接続前における粒子間距離が３μｍ、粒子個数密度が５２００個／ｍｍ2の異方性導電フィルムを用いた他は、実施例１と同じ条件とした。
【００９２】
［実施例５］
実施例５では、粒子径が３μｍの導電性粒子（商品名：ＡＵＬ７０３、積水化学工業社製）を用い、接続前における粒子間距離が０．５μｍ、粒子個数密度が５００００個／ｍｍ2の異方性導電フィルムを用いた他は、実施例１と同じ条件とした。
【００９３】
［比較例１］
比較例１では、バインダー樹脂組成物に導電性粒子を加えて調整し、剥離フィルム上に塗布、焼成することにより、バインダー樹脂層に導電性粒子がランダムに分散されている異方性導電フィルムを用いた。使用した導電性粒子（商品名：ＡＵＬ７０４、積水化学工業社製）は粒子径４μｍで、粒子個数密度は１０００００個／ｍｍ2である。
【００９４】
［比較例２］
比較例２では、粒子個数密度が６００００個／ｍｍ2である他は、比較例１と同じ条件とした。
【００９５】
【表１】
2019186577.tif 000003
【００９６】
表１に示すように、比較例１及び比較例２に係る接続体サンプルでは、１０００個の圧痕の内、１０４個（比較例１）、２３２個（比較例２）と、少なくとも１０％以上の圧痕が隣接ないしは重複しており、視認性が悪いことが伺える。一方、実施例１〜５に係る接続体サンプルでは、隣接ないしは重複が各比較例より２桁少ないことから、視認性が良いことが伺える。なお、実施例、比較例どちらも導電性粒子の個数密度に比例して、圧痕の独立性が悪化する傾向がある。
【００９７】
また、１端子内における圧痕個数を目視と画像処理機で比較すると、各比較例ではその差が大きく、各実施例ではその差が小さい。これは、比較例では圧痕の隣接や重複などにより、個々の圧痕の独立性が低く、複数の圧痕を１個にカウントしてしまい、識別性が悪いことが伺える。一方、実施例では圧痕の隣接や重複がほぼ無いために、目視と画像処理機で差が生じない。このため、個々の圧痕の識別が容易に、且つ精度が良くなっていることが分かる。
【００９８】
また、端子列の中央の端子、中央の端子に隣接する端子、両端の端子、両端の端子に隣接する端子の各端子内に現れる個々の圧痕の７５％以上が独立性を有するか否かについて、比較例ではいずれの端子においても独立性を有する個々の圧痕が７５％以上ある識別容易な状態は得られず、実施例ではすべての端子において独立性を有する個々の圧痕が７５％以上ある識別容易な状態が得られた。
【００９９】
これら実施例に係る接続体サンプルは、初期導通抵抗及び信頼性試験後の導通抵抗ともに１Ω以下であり、また、ＩＣバンプ間ショートの発生率も５０ｐｐｍ以下であった。すなわち、実施例に係る接続体サンプルによれば、端子列の中央部及び両端部に設けられた４〜８個の端子における圧痕を検査することで、当該端子列における押圧の均一性を確認することができることが分かる。
【０１００】
なお、各実施例に係る接続体サンプルでは、圧痕の独立性を観察した端子列と平行に、当該圧痕の独立性を観察した端子列が形成された基板側縁と反対側の側縁に形成された端子列（入力端子列２０ａ）も、同様に観察したところ、同様に、端子列の中央の端子、中央の端子に隣接する端子、両端の端子、両端の端子に隣接する端子の各端子内に現れる圧痕の７５％以上が独立性を有するものであった。すなわち、各実施例に係る接続体サンプルは、評価用ＩＣの押圧箇所全域で押圧の均一性が得られていることが分かる。
【０１０１】
［第２の実施例］
次いで、本発明の第２の実施例について説明する。第２の実施例では、導電性粒子が規則配列された異方性導電フィルムと、導電性粒子がランダムに分散された異方性導電フィルムを用いるとともに、バンプ表面に導電性粒子の粒子径の５０％以内の高低差を有する凹凸部が形成された評価用ＩＣを用いて接続体サンプルを作成し、それぞれ評価用ガラス基板の端子に現れる圧痕の個数及び独立性を評価するとともに、初期及び信頼性試験後の導通抵抗、隣接するＩＣバンプ間のショート発生率を測定した。
【０１０２】
第２の実施例で使用した評価用ＩＣは、導通抵抗測定用、ＩＣバンプ間ショート測定用のいずれも、入出力バンプ表面に導電性粒子の粒子径の５０％以内の高低差を有する凹凸部が形成されている他は、第１の実施例で用いたものと同じである。また、異方性導電フィルム、及び評価用ガラス基板は、第１の実施例で用いたものと同じである。
【０１０３】
また、評価用ガラス基板の端子に現れる圧痕の個数及び独立性の評価位置及び評価基準も第１の実施例と同じである。なお、第２の実施例では、評価用ガラス基板の１つの端子内に現れる圧痕の個数を目視でカウントした。また、導通抵抗及びＩＣバンプ間のショート発生率の評価基準、信頼性試験の条件も第１の実施例と同じである。
【０１０４】
［実施例６〜１０］
実施例６では実施例１で用いた異方性導電フィルムを用い、実施例７では実施例２で用いた異方性導電フィルムを用い、実施例８では実施例３で用いた異方性導電フィルムを用い、実施例９では実施例４で用いた異方性導電フィルムを用い、実施例１０では実施例５で用いた異方性導電フィルムを用いた。
【０１０５】
［比較例３，４］
また、比較例３では比較例１で用いた異方性導電フィルムを用い、比較例４では比較例２で用いた異方性導電フィルムを用いた。
【０１０６】
【表２】
2019186577.tif 000004
【０１０７】
表２に示すように、バンプ表面に導電性粒子の粒子径の５０％以内の高低差を有する凹凸部が形成された評価用ＩＣを用いた場合においても、第１の実施例と同様の傾向が現れた。すなわち、比較例３及び比較例４に係る接続体サンプルでは、１０００個の圧痕の内、１２１個（比較例３）、２６５個（比較例４）と、少なくとも１０％以上の圧痕が隣接ないしは重複しており、視認性が悪いことが伺える。一方、実施例６〜１０に係る接続体サンプルでは、隣接ないしは重複が各比較例より１桁以上少ないことから、視認性が良いことが伺える。なお、実施例、比較例どちらも導電性粒子の個数密度に比例して、圧痕の独立性が悪化する傾向がある。
【０１０８】
また、端子列の中央の端子、中央の端子に隣接する端子、両端の端子、両端の端子に隣接する端子の各端子内に現れる個々の圧痕の７５％以上が独立性を有するか否かについて、比較例ではいずれの端子においても独立性を有する個々の圧痕が７５％以上ある識別容易な状態は得られず、実施例ではすべての端子において独立性を有する個々の圧痕が７５％以上ある識別容易な状態が得られた。
【０１０９】
これら実施例に係る接続体サンプルは、初期導通抵抗及び信頼性試験後の導通抵抗ともに１Ω以下であり、また、ＩＣバンプ間ショートの発生率も５０ｐｐｍ以下であった。すなわち、実施例に係る接続体サンプルによれば、端子列の中央部及び両端部に設けられた４〜８個の端子における圧痕を検査することで、当該端子列における押圧の均一性を確認することができることが分かる。
【０１１０】
なお、比較例４は、表１の比較例２との比較で、導電性粒子がバインダー樹脂中にランダムに分散している点で共通するが、ＩＣバンプ間ショート発生率が大きく異なっている。導電性粒子がランダムである場合、導電性粒子の偏在によってＩＣバンプ間ショート発生率がばらつくことが分かる。すなわち、導電性粒子が規則配列していることで、ＩＣバンプ間ショート発生率を抑制できることが、このことからも分かる。
【０１１１】
なお、各実施例に係る接続体サンプルでは、圧痕の独立性を観察した端子列と平行に、当該圧痕の独立性を観察した端子列が形成された基板側縁と反対側の側縁に形成された端子列（入力端子列２０ａ）も、同様に観察したところ、同様に、端子列の中央の端子、中央の端子に隣接する端子、両端の端子、両端の端子に隣接する端子の各端子内に現れる圧痕の７５％以上が独立性を有するものであった。すなわち、各実施例に係る接続体サンプルは、評価用ＩＣの押圧箇所全域で押圧の均一性が得られていることが分かる。
【符号の説明】
【０１１２】
１  異方性導電フィルム、２  剥離フィルム、３  バインダー樹脂層、４  導電性粒子、６  巻取リール、１０  液晶表示パネル、１１，１２  透明基板、１２ａ  縁部、１３  シール、１４  液晶、１５  パネル表示部、１６，１７  透明電極、１８  液晶駆動用ＩＣ、１８ａ  実装面、１９ａ  入力端子、１９ｂ  出力端子、２０ａ  入力端子列、２０ｂ  出力端子列、２１ａ  入力バンプ、２１ｂ  出力バンプ、２２ａ  入力バンプ列、２２ｂ  出力バンプ列、２３  端子間スペース、２７  実装部、３１  基板側アライメントマーク、３２  ＩＣ側アライメントマーク、２３  端子間スペース、３３  熱圧着ヘッド
【図１】
2019186577.tif 000005
【図２】
2019186577.tif 000006
【図３】
2019186577.tif 000007
【図４】
2019186577.tif 000008
【図５】
2019186577.tif 000009
【図６】
2019186577.tif 000010
【図７】
2019186577.tif 000011
【図８】
2019186577.tif 000012
【図９】
2019186577.tif 000013
【図１０】
2019186577.tif 000014
【図１１】
2019186577.tif 000015
【図１２】
2019186577.tif 000016
【図１３】
2019186577.tif 000017
【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
透明基板上に導電性粒子が配列された異方性導電接着剤を介して電子部品が接続された接続体の接続状態を外観検査により検査する検査方法において、
上記透明基板の端子に現れる上記異方性導電接着剤に含有された導電性粒子の圧痕及び圧痕の周辺部位を比較して、接続状態を検査し、
上記圧痕は、上記透明基板の端子内で重複せず、個々に独立した状態で規則的に現れる検査方法。
【請求項２】
上記透明基板は、上記端子が配列する端子列を有し、
上記端子列の中央の端子内における圧痕を検査する請求項１に記載の検査方法。
【請求項３】
上記透明基板は、上記端子が配列する端子列を有し、
上記端子列の両端の端子内における圧痕を検査する請求項１又は２に記載の検査方法。
【請求項４】
上記透明基板は、上記端子が配列する端子列を有し、
上記端子列の中央の端子に隣接した端子内における圧痕を検査する請求項１〜３のいずれか１項に記載の検査方法。
【請求項５】
上記透明基板は、上記端子が配列する端子列を有し、
上記端子列の両端の端子に隣接した端子内における圧痕を検査する請求項１〜４のいずれか１項に記載の検査方法。
【請求項６】
一つの端子内において５５％以上の圧痕が独立して存在している請求項１〜５のいずれか１項に記載の検査方法。
【請求項７】
上記端子内における圧痕の最も近接する他の圧痕との外縁間の距離の差が、同一端子内における平均から±３０％以内である請求項１〜６のいずれか１項に記載の検査方法。
【請求項８】
透明基板上に、導電性粒子を含有した接着剤を介して電子部品を搭載し、
上記電子部品を上記透明基板に対して押圧するとともに、上記接着剤を硬化させることにより、上記電子部品を上記回路基板上に接続する接続体の製造方法において、
上記接着剤は、バインダー樹脂に導電性粒子が配列され、
上記透明基板の端子に現れる上記異方性導電接着剤に含有された導電性粒子の圧痕及び圧痕の周辺部位を比較して、上記電子部品と上記回路基板との接続状態を外観検査により検査する工程を有し、
上記圧痕は、上記透明基板の端子内で重複せず、個々に独立した状態で規則的に現れる接続体の製造方法。
【請求項９】
透明基板と、
上記透明基板上に異方性導電接着剤を介して接続された電子部品とを備え、
上記透明基板の端子に現れる上記異方性導電接着剤に含有された導電性粒子の圧痕は、上記透明基板の端子内で重複せず、個々に独立した状態で規則的に現れ、
請求項８に記載の製造方法により製造される接続体。
【請求項１０】
透明基板と、
上記透明基板上に異方性導電接着剤を介して接続された電子部品とを備え、
上記透明基板の端子には、上記異方性導電接着剤に含有された導電性粒子による複数の圧痕が面内方向に配列され、
上記圧痕は、円形とした場合の４０％以上の曲線からなり、
上記圧痕は、上記透明基板の端子内で重複せず、個々に独立した状態で規則的に現れ、
上記透明基板は上記端子が配列する端子列を有し、上記圧痕は上記端子列内の全端子において同様の視認性を有する接続体。
【手続補正２】
【補正対象書類名】明細書
【補正対象項目名】００１３
【補正方法】変更
【補正の内容】
【００１３】
また、本発明に係る接続体の製造方法は、透明基板上に、導電性粒子を含有した接着剤を介して電子部品を搭載し、上記電子部品を上記透明基板に対して押圧するとともに、上記接着剤を硬化させることにより、上記電子部品を上記回路基板上に接続する接続体の製造方法において、上記接着剤は、バインダー樹脂に導電性粒子が配列され、上記透明基板の端子に現れる上記異方性導電接着剤に含有された導電性粒子の圧痕及び圧痕の周辺部位を比較して、上記電子部品と上記回路基板との接続状態を外観検査により検査する工程を有し、上記圧痕は、上記透明基板の端子内で重複せず、個々に独立した状態で規則的に現れるものである。